(57)【特許請求の範囲】
【請求項１】
ピストンポンプの先端に噴射ノズルを設け、ピストンの往復動によって供給口から吸込まれた洗浄液を噴射する洗浄用スプレーガンにおいて、上記ピストンが嵌って摺動するピストンポンプのシリンダー穴の内周面にリング状の溝を形成し、このリング状溝と洗浄液の上記供給口を細い穴を介して連通し、ピストンの後退動に伴って、上記リング状溝に溜まった洗浄液が細い穴を流れて供給口へ吸込まれ、供給ホースから供給される洗浄液と共にノズルから噴射するようにしたことを特徴とする洗浄用スプレーガン。
【請求項２】
上記リング状溝の下側と供給口を連通した請求項１記載の洗浄用スプレーガン。
【発明の詳細な説明】
【０００１】
【発明の属する技術分野】
本発明はピストンポンプのピストンにより洗浄液を噴射させ、該洗浄液によって繊維製品や機器等を洗浄する為のスプレーガンに関するものである。
【０００２】
【従来の技術】
スプレーガンにはピストンポンプを備えた型式のものが使われているが、ピストンの往復動によって噴射する洗浄液は断続的となり、該洗浄液は霧状を成して繊維製品や機器等にかけられ、汚れを落とす場合に使用されている。図２従来の洗浄用スプレーガンを示しているが、ピストンポンプ(イ)の先端に噴射ノズル(ロ)を有し、ピストンポンプ(イ)を往復動するピストン(ハ)によって供給ホース(ニ)から洗浄液を吸上げて噴射ノズル(ロ)から噴射する。
【０００３】
ここで、ピストン(ハ)はモータ(ホ)にて往復動させられることになるが、該モータ(ホ)の軸(ヘ)はカムリング(ト)に連結し、カムリング(ト)には偏心軸(チ)が設けられている。そして、この偏心軸(チ)はスライダー(リ)の遊嵌溝(ヌ)に遊嵌していて、上記カムリング(ト)が回転するならばスライダー(リ)は偏心軸(チ)の偏心量の範囲内で往復動することになる。上記ピストン(ハ)はスライダー(ト)に連結している為に、ピストン(ハ)も往復動することが出来る。
【０００４】
スプレーガンのケーシング(オ)には上記供給ホース(ニ)の近くにドレーンホース(ル)が接続されており、ピストンポンプ(イ)から漏れた洗浄液を回収している。ピストン(ハ)が嵌って往復動するシリンダー穴の内周面との間には殆ど隙間はなく、又洗浄液が逆流しないようにシールされているが、実際にはこの僅かな隙間を侵入して逆流し、ドレーンとして回収される。使用する洗浄液が非常に高価である為に回収する場合、又漏れたまま放置したのでは環境保全上問題になる場合等色々あるが、ピストンポンプ(イ)から漏れる洗浄液をそのまま垂れ流すことが出来ない。
【０００５】
そこで、供給ホース(ニ)をケーシング(オ)の上側に接続し、又ドレーンホース(ル)を接続しないで、その代わり回収容器を取着し、該回収容器内には吸収材を充填してドレーンを吸収する方式も知られている。又出願人が平成６年１１月１５日付けで特許出願した「洗浄用スプレーガン」は「ピストンの後端はケーシングのガイド孔内を往復動するスライダーに連結し、スライダーに形成した遊嵌溝にはモータの軸に取着したカムリングの偏心軸が係合し、一方、供給ホースはシリンダーの上側に接続し、ドレーンホースはその排出口をケーシングの下側に設け、さらにスライダーをエアーポンプのピストンとして利用する為にケーシング後端には空間を形成し、空間の出口には弁を設けてホースを接続し、該ホースはケーシング上側からシリンダー後端とスライダー間の空間に導いている。」
【０００６】
このようにドレーンを回収する為にドレーンホースを接続したり、ドレーン回収容器を備えるなどの色々な工夫が成されている。しかしこのようなドレーンホースを備えることなく、又ドレーン回収容器を取付ける必要のない洗浄用スプレーガンであって、供給される全ての洗浄液が噴射ノズルから噴射されて有効に使われることが好ましい。そして特に上記のごとくエアーポンプを備えて強制的にドレーンを排出する場合、スプレーガンの構造は複雑化すると共にコスト的に高くなる。
【０００７】
【発明が解決しようとする課題】
このように従来の洗浄用スプレーガンには上記のごとき問題がある。本発明が解決しようとする課題はこの問題点であり、ピストンポンプのシリンダー穴内周面とピストンの隙間から侵入する洗浄液をドレーンとして無駄にしないで、再利用することが出来るようにした洗浄用スプレーガンを提供する。
【０００８】
【課題を解決する為の手段】
本発明に係る洗浄用スプレーガンはドレーンホースを必ずしも用いることなく、ピストンポンプから漏れた洗浄液を再びピストンポンプから噴射するように構成している。そこで、ピストンが嵌って往復動するシリンダー穴の内周面にはリング状の溝を形成し、この溝を洗浄液の供給口と細い穴を介して連通している。
【０００９】
供給口からピストンの後退動に伴って吸い込まれた洗浄液はシリンダーの先端ノズルから噴射することが出来るが、僅かな洗浄液はシリンダー穴の内周面とピストンの隙間を通過して逆流する。ところが洗浄液はシリンダー穴内周面の途中に設けたリング状溝に溜まり、そしてこの洗浄液はピストンの後退動に伴って連通した穴を流れて供給口へ吸い込まれ、供給ホースから供給された洗浄液と共にノズルから噴射する。ここで、リング状溝の大きさや形状は限定せず、そしてシリンダー穴全周に形成する完全なリングでなくてもよい。以下、本発明に係る実施例を図面に基づいて詳細に説明する。
【００１０】
【実施例】
図１本発明の洗浄用スプレーガンを示している実施例である。基本的な構造は前記図２で説明した洗浄用スプレーガンと共通し、ピストンポンプ１の先端に噴射ノズル２を有し、ピストンポンプ１のシリンダー穴１４を往復動するピストン３によって供給ホース４から洗浄液を吸込んで噴射ノズル２から噴射することが出来る。
【００１１】
ここで、ピストン３はモータ５にて往復動させられることになるが、該モータ５の軸６はカムリング７に連結し、カムリング７には偏心軸８が設けられている。そして、この偏心軸８はスライダー９の遊嵌溝に遊嵌していて、上記カムリング７が回転するならばスライダー９は偏心軸８の偏心量の範囲内で往復動することになる。そして上記ピストン３はスライダー９にネジ１１を介して連結している為に、ピストン３も往復動することが出来る。
【００１２】
スプレーガンのシリンダー１０には供給ホース４が接続されており、ピストン３が後退するとシリンダー穴が真空状態となって、供給ホース４の供給口１２から洗浄液が吸込まれる。そして再びピストン３が前進するならばシリンダー穴に吸込まれた洗浄液は噴射ノズル２から噴射する。
【００１３】
シリンダー穴１４の先端には弁１５が設けられ、該弁１５はコイルバネ１６にてバネ力が付勢されてシリンダー穴１４の先端を塞いでいる。そしてシリンダー穴１４の内周面にはリング溝１３が形成され、該リング溝１３はピストン３との間に空間を形成する。
【００１４】
ところで、供給口１２からシリンダー穴１４に入った洗浄液が噴射ノズル２から噴射しないで、ピストン３とシリンダー穴内周面との極僅かな隙間を逆流する場合、該洗浄液はリング溝１３に溜まることになる。すなわち空間となるリング溝１３が存在することで、これより後方へ侵入することは殆どない。そしてリング溝１３と供給口１２は細い穴１７によって連通されている為に、リング溝１３に溜まった洗浄液はピストン３が後退してシリンダー穴１４内が真空になるならば、吸込まれてシリンダー穴１４に流れる。
【００１５】
逆流した洗浄液は上記リング溝１３に溜まり、これ以上奥へ進むことは殆どないが、この実施例ではドレーンホース１８を接続している。従って、シリンダー穴内周面との隙間を通過し、さらにリング溝１３を通って逆流する洗浄液があれば、これは該ドレーンホース１８から排出される。又同図の穴１７はリング溝１３の下側に繋がっているが、その位置は限定しない。
【００１６】
以上述べたように、本発明の洗浄用スプレーガンはピストンが嵌って往復動するシリンダーの穴内周面にリング状の溝を形成すると共に、このリング状溝と供給口を細い穴を介して連通したものであり、次のような効果を得ることが出来る。
【００１７】
【発明の効果】
本発明の洗浄用スプレーガンはピストンが嵌って往復動するシリンダーの穴内周面にリング状溝を形成している為に、ピストンの前進によって噴射ノズルから噴射せずしてピストンとシリンダー穴内周面との極僅かな隙間に侵入して漏れる洗浄液は、このリング状溝に溜まることが出来る。そして、このリング状溝は供給口と細い穴を介して連通している為に、ピストンの後退動に伴ってリング状溝に溜まっている洗浄液は、該穴を流れて供給口へ吸込まれる。
【００１８】
そして供給ホースから供給される新しい洗浄液と共に噴射ノズルから噴射され、ドレーンとして回収する必要がなくなる。洗浄液によっては非常に高価なものがあり、本発明のスプレーガンはこの洗浄液を無駄にすることなく使うことが出来る。実施例では、ドレーンホースを備えているが、本発明の洗浄用スプレーガンではドレーンとして回収される洗浄液は殆どなく、仮にあっても極僅かである。
【図面の簡単な説明】
【図１】本発明の洗浄用スプレーガン。
【図２】従来の洗浄用スプレーガン。
【符号の説明】
１  ピストンポンプ
２  噴射ノズル
３  ピストン
４  供給ホース
５  モータ
６  軸
７  カムリング
８  偏心軸
９  スライダー
10  シリンダー
11  ネジ
12  供給口
13  リング溝
14  シリンダー穴
15  弁
16  コイルバネ
17  穴
18  ドレーンホース
【図１】
0004697914.tif 000002
【図２】
0004697914.tif 000003